(57)【要約】【課題】洗浄ポンプから吐出される洗浄水を食器類に向けて噴射して食器類を洗浄する食器洗い機において、皿類の上に上棚を設けて空間を有効活用するとともに、皿類の大きさによって上棚を容易に取り外しできるようにし、より使い勝手のよい食器洗い機を提供する。【解決手段】食器洗い機本体内に前方に開口部を有する洗浄槽１を設け、洗浄槽１内に食器類５を収容する食器かご１９を配置する。食器かご１９は、かご本体２０と第１の上棚２１、第２の上棚２２とを有し、かご本体２０の主に皿類５２を載置する皿類載置部２０ｂの略上方に位置する第２の上棚２２を単独で取り外し可能に構成する。【選択図】　図１
2004105269.tif 000002
【特許請求の範囲】
【請求項１】
食器洗い機本体内に設け前方に開口部を有する洗浄槽と、前記洗浄槽内に配置し食器類を収容する食器かごとを備え、前記食器かごは、かご本体と複数の上棚とを有し、前記かご本体の主に皿類を載置する皿類載置部の略上方に位置する上棚は、単独で取り外し可能に構成した食器洗い機。
【請求項２】
皿類載置部の略上方に位置する上棚は、取り付け高さを複数段に変更可能とした請求項１記載の食器洗い機。
【請求項３】
皿類載置部の略上方に位置する上棚は、把手を手前側に設けた請求項１または２記載の食器洗い機。
【請求項４】
食器洗い機本体内に設け前方に開口部を有する洗浄槽と、前記洗浄槽内に配置し食器類を収容する食器かごとを備え、前記食器かごは、かご本体と複数の上棚とを有し、前記かご本体の主に皿類を載置する皿類載置部の略上方に位置する上棚は、単独で前記かご本体の背面に向かって折り畳み可能とするとともに、折り畳んだ状態で仮固定可能に構成した食器洗い機。
【請求項５】
皿類載置部の略上方に位置する上棚は、棚面に多数の格子状の穴を設け、この格子穴の大きさは、かご本体に載置した箸などを入れる小物入れに設けてある格子穴よりも大きく、かつ他の上棚の開口よりも小さくなるよう構成した請求項１〜４のいずれか１項に記載の食器洗い機。
【発明の詳細な説明】
【０００１】
【発明の属する技術分野】
本発明は、洗浄ポンプから吐出される洗浄水を食器類に向けて噴射して食器類を洗浄する食器洗い機に関するものである。
【０００２】
【従来の技術】
従来、この種の食器洗い機は図７および図８に示すように構成していた。以下その構成について説明する。
【０００３】
図７に示すように、洗浄槽１は前方に開口部２を有し、この開口部２を扉３により開閉するとともに、内部に洗浄水を噴射する洗浄ノズル４を回転自在に設けており、洗浄槽１内に食器類５を収納する食器かご６を配置している。洗浄槽１は台枠７にて支持されている。
【０００４】
洗浄槽１内の洗浄水はヒータ８によって温水化され、洗浄ポンプ９にて排水口１０に備えた残滓フィルタ１１から吸い込まれ、洗浄ノズル４に圧送され、噴出口から食器類５に向けて噴出し、循環する。これにより食器類５は洗浄される。洗浄行程が終了すると、洗浄槽１の下部に設けた排水ポンプ１２によって機外に洗浄水が排水される。
【０００５】
食器かご６は、図８に示すように、かご本体１３と上棚１４とを有し、上棚１４はかご本体１３に置かれる食器類５の内、比較的背の低い茶碗類５１等の置き場所の上方に位置し、かご本体１３の背面に向かって折り畳み可能にかご本体１３に軸支されている。かご本体１３は、上棚１４を軸支するため回転軸１５を保持し、かつ上棚１４上に置かれたコップ類５２等の食器類５がかご本体１３より転倒落下することを防止するための壁部１６を有している（例えば、特許文献１参照）。
【０００６】
食器洗い機本体の高さが低いことが特に求められる卓上タイプの食器洗い機においては、比較的背の高い皿類５３等の置き場所の上方には上棚を設けることは難しく、設ける場合でも、茶碗類５１等の置き場所の上方の上棚１４を段差を設けて延長したものであった。
【０００７】
【特許文献１】
特開２００１−４６３０７号公報（第３頁、図２）
【０００８】
【発明が解決しようとする課題】
日本の狭い台所において、食器洗い機はより小さな外形寸法にて、より多くの食器類５を収容可能であることが求められている。
【０００９】
しかしながら上記従来の構成では、食器洗い機本体の外形寸法を変えずに食器かご６に収納される食器類５の数を増すためには、空いている隙間を有効活用するか、食器類５の間隔を狭めるしかなかった。食器類５の間隔を狭めると洗浄性能が低下するので、いかに空いている隙間に食器類５を入れるかが問題であった。
【００１０】
本発明は上記従来の課題を解決するもので、皿類の上に上棚を設けて空間を有効活用するとともに、皿類の大きさによって上棚を容易に取り外しできるようにし、より使い勝手のよい食器洗い機を提供することを目的としている。
【００１１】
【課題を解決するための手段】
本発明は上記目的を達成するために、食器洗い機本体内に前方に開口部を有する洗浄槽を設け、洗浄槽内に食器類を収容する食器かごを配置し、食器かごは、かご本体と複数の上棚とを有し、かご本体の主に皿類を載置する皿類載置部の略上方に位置する上棚を単独で取り外し可能に構成したものである。
【００１２】
これにより、皿類の上に上棚を設けて空間を有効活用できるとともに、かご本体に収容される皿類が設定した大きさよりも大きい場合に、上棚を取り外すことで容易に対応することができ、より使い勝手のよい食器洗い機を提供することができる。
【００１３】
【発明の実施の形態】
本発明の請求項１に記載の発明は、食器洗い機本体内に設け前方に開口部を有する洗浄槽と、前記洗浄槽内に配置し食器類を収容する食器かごとを備え、前記食器かごは、かご本体と複数の上棚とを有し、前記かご本体の主に皿類を載置する皿類載置部の略上方に位置する上棚は、単独で取り外し可能に構成したものであり、皿類の上の空間にも食器類を収容できるとともに、かご本体に収容される皿類が設定した大きさよりも大きい場合に、上棚を取り外すことで、容易に対応することができ、また、皿類載置部の上方の上棚のみ単独で取り外し可能であるので、茶碗類の上の上棚にコップなどの食器類が収容された状態でも取り外しでき、より使い勝手がよいものとすることができる。
【００１４】
請求項２に記載の発明は、上記請求項１に記載の発明において、皿類載置部の略上方に位置する上棚は、取り付け高さを複数段に変更可能としたものであり、かご本体に収容される皿類の大きさに応じて、上棚の高さを調整することができ、使い勝手を向上することができる。
【００１５】
請求項３に記載の発明は、上記請求項１または２に記載の発明において、皿類載置部の略上方に位置する上棚は、把手を手前側に設けたものであり、使用者による上棚の取り外しを容易に行うことができる。
【００１６】
請求項４に記載の発明は、食器洗い機本体内に設け前方に開口部を有する洗浄槽と、前記洗浄槽内に配置し食器類を収容する食器かごとを備え、前記食器かごは、かご本体と複数の上棚とを有し、前記かご本体の主に皿類を載置する皿類載置部の略上方に位置する上棚は、単独で前記かご本体の背面に向かって折り畳み可能とするとともに、折り畳んだ状態で仮固定可能に構成したものであり、かご本体に収容される皿類が設定した大きさよりも大きい場合に、上棚を取り外すことなしに対応することができる。
【００１７】
請求項５に記載の発明は、上記請求項１〜４に記載の発明において、皿類載置部の略上方に位置する上棚は、棚面に多数の格子状の穴を設け、この格子穴の大きさは、かご本体に載置した箸などを入れる小物入れに設けてある格子穴よりも大きく、かつ他の上棚の開口よりも小さくなるよう構成したものであり、かご本体に載置した箸などを入れる小物入れには入らない弁当箱の間仕切りなどの小物を皿類載置部の上方の上棚に収容することができ、使い勝手を向上することができる。
【００１８】
【実施例】
以下、本発明の実施例について、図面を参照しながら説明する。なお、従来例と同じ構成のものは同一符号を付して説明を省略する。
【００１９】
（実施例１）
図１および図２に示すように、食器かご１９は、かご本体２０と第１の上棚（上棚）２１と第２の上棚（上棚）２２とで構成している。第１の上棚２１はかご本体２０に収容される食器類５の内、比較的高さが低い茶碗類５１等を載置する茶碗類載置部２０ａの上方に位置している。第２の上棚２２は比較的高さが高い皿類５２等を載置する皿類載置部２０ｂの上方に位置し、図３に示すように、かご本体２０の背面に水平に設けた固定用ピン２３ａに係着させている。
【００２０】
第２の上棚２２は第１の上棚２１とは分離しており、単独で取り外し可能である。固定用ピン２３ａの高さは、一般的な皿類５２の大きさに合わせて高さを設定している。さらに大きい皿類５２をかご本体２０に収容する場合に合わせて、固定用ピン２３ａの上方に第２の固定用ピン２３ｂを設け、取り付け高さを複数段に変更可能としている。また、第２の上棚２２の手前側には、使用者が持ちやすいように把手２２ａを設けている。
【００２１】
小物入れ２４は、箸などの小物を入れるもので、かご本体２０に載置し、この小物入れ２４に設けてある格子穴は、底面を約２ｍｍ、側面約５ｍｍに設定している。これは日本家庭の食事には欠かせない箸の洗浄を想定している。小物入れ２４には箸のほかスプーン、フォーク、ナイフなど細長い柄を有する食器類が入れられる。
【００２２】
これに対し、第２の上棚２２の格子穴形状は約２０ｍｍ幅としており、明確な差をつけている。茶碗類５１の上方の上棚２１はステンレス製の線材を組み合わせて形成しており、線材の間隔は約４０ｍｍとしてある。これにより、第２の上棚２２には弁当箱の間仕切りなど柄のない小物を収容することができ、使用者にとり使い勝手がよいものとしている。
【００２３】
上記構成において作用を説明する。かご本体２０に収容される皿類５２が設定された一般的な大きさのものである場合は、皿類５２の上方の第２の上棚２２は固定用ピン２３ａに係着したままで使用する。食器洗い機本体の高さはこの状態で、一般的な高さのコップ５３などが第２の上棚２２に収容可能に設定している。
【００２４】
さらに、大きい皿類５２をかご本体２０に収容する場合、第２の上棚２２の手前に設けた把手２２ａをもって、固定用ピン２３ａから取り外し、上方に位置する第２の固定用ピン２３ｂに係着しなおす。これにより、大きい皿類５２を洗浄しつつ、第２の上棚２２に収容した食器類５を同時に洗浄することができる。
【００２５】
食器洗い機本体の高さが低いことが特に求められる卓上タイプの食器洗い機においては、皿類５２等の上方は、茶碗類５１等の上方と比較して高さが狭く、第２の上棚２２は、第１の上棚２１のように背面に自立するまで折り畳むことは困難であり、取り外し可能とすることで大きい皿類５２への対応が容易に実現できる。
【００２６】
（実施例２）
図４および図５に示すように、食器かご２５は、かご本体２６と第１の上棚２７と第２の上棚２８とで構成している。第１の上棚２７は、かご本体２６に収容される食器類５の内、比較的高さが低い茶碗類５１等を載置する茶碗類載置部２６ａの上方に位置している。第２の上棚２８は比較的高さが高い皿類５２等を載置する皿類載置部２６ｂの上方に位置し、図６に示すように、かご本体２６の背面に向かって折り畳み可能に、かご本体２６に軸支している。
【００２７】
かご本体２６の背面には、第２の上棚２８を軸支する回転軸２９を有し、第２の上棚２８を跳ね上げた状態にて仮固定可能に、突起３０を設けている。他の構成は上記実施例１と同じである。
【００２８】
上記構成において作用を説明する。かご本体２６に収容される皿類５２が設定した大きさよりも大きい場合は、皿類載置部２６ｂの上方の第２の上棚２８を背面に向かって折りたたみ、突起３０に引っ掛けることで仮固定する。これにより、第２の上棚２８を取り外すことなしに対応することができる。
【００２９】
かご本体２６に収容される皿類５２が設定した大きさである場合は、皿類載置部２６ｂの上方の第２の上棚２８を、突起３０への引っ掛かりを外して元の状態に戻すことで、第２の上棚２８にコップ５３等を収容でき、同時に洗浄することができる。
【００３０】
【発明の効果】
以上のように、本発明の請求項１に記載の発明によれば、洗浄槽内に配置した食器かごは、かご本体と複数の上棚とを有し、かご本体の主に皿類を載置する皿類載置部の略上方に位置する上棚は、単独で取り外し可能に構成したことにより、皿類の上に上棚を設けて空間を有効活用できるとともに、かご本体に収容される皿類が設定した大きさよりも大きい場合に、上棚を取り外すことで容易に対応することができ、より使い勝手のよい食器洗い機を提供することができる。また、皿類の上方の上棚のみ独立で取り外し可能であるので、茶碗類の上の上棚にコップなどの食器類が収容された状態でも取り外しでき、より使い勝手のよいものとすることができる。
【図面の簡単な説明】
【図１】本発明の第１の実施例の食器洗い機の一部切欠した正面図
【図２】同食器洗い機の側断面図
【図３】同食器洗い機の上棚の拡大斜視図
【図４】本発明の第２の実施例の食器洗い機の一部切欠した正面図
【図５】同食器洗い機の側断面図
【図６】同食器洗い機の上棚の拡大斜視図
【図７】従来の食器洗い機の側断面図
【図８】同食器洗い機の一部切欠した正面図
【符号の説明】
１　洗浄槽
２　開口部
５　食器類
１９　食器かご
２０　かご本体
２０ｂ　皿類載置部
２１　第１の上棚（上棚）
２２　第２の上棚（上棚）
５２　皿類
【図１】
2004105269.tif 000003
【図２】
2004105269.tif 000004
【図３】
2004105269.tif 000005
【図４】
2004105269.tif 000006
【図５】
2004105269.tif 000007
【図６】
2004105269.tif 000008
【図７】
2004105269.tif 000009
【図８】
2004105269.tif 000010